(57)【要約】【課題】            スライダーから芯押さえが外れてしまうのを防ぐことができるシャープペンシルを提供する。【解決手段】        先口２０の先端開口部から前方へ突出するとともに前後へスライドするように支持された略筒状のスライダー３０内に、鉛芯ｐの外周面を弾性的に押圧保持可能な芯押さえ４０を備え、チャック６１に把持されて前進した際の鉛芯ｐを、前記芯押さえ４０により保持するようにしたシャープペンシルにおいて、前記スライダー３０内における前記芯押さえ４０よりも後方側に環状ストッパー５０を具備し、この環状ストッパー５０を前記スライダー３０に対し軸方向へ移動不能となるように設けた。【選択図】          図１
2009056630.tif 000002
【特許請求の範囲】
【請求項１】
先口の先端開口部から前方へ突出するとともに前後へスライドするように支持された略筒状のスライダー内に、鉛芯の外周面を弾性的に押圧保持可能な芯押さえを備え、チャックに把持されて前進した際の鉛芯を、前記芯押さえにより保持するようにしたシャープペンシルにおいて、
前記スライダー内における前記芯押さえよりも後方側に環状ストッパーを具備し、この環状ストッパーを前記スライダーに対し軸方向へ移動不能となるように設けたことを特徴とするシャープペンシル。
【請求項２】
前記芯押さえの内周面が後方へ向かって徐々に拡径するように形成され、その拡径面の後端部内径と、前記環状ストッパーの内径とを略同径にしたことを特徴とする請求項１記載のシャープペンシル。
【請求項３】
前記スライダーの内面に形成された芯押さえ当接段部に対し、その後方側から前記芯押さえを当接させるとともに、前記芯押さえの後端部に対し、前記環状ストッパーを接触もしくは近接させたことを特徴とする請求項１又は２記載のシャープペンシル。
【請求項４】
前記スライダーの内面における前記芯押さえ当接段部よりも後方側に、後方から挿入される前記環状ストッパーを当接させるための環状ストッパー当接段部を設け、
前記環状ストッパーの外周面には、前記環状ストッパー当接段部に当接させるための段部と、該段部よりも前方側へ延設された小径部とを形成し、
前記小径部の前端を、前記芯押さえの後端に対し接触もしくは近接させたことを特徴とする請求項３記載のシャープペンシル。
【請求項５】
前記環状ストッパーの後端側に、その前部側よりも拡径された大径部を設け、この大径部を前記スライダーの内面に圧入するようにしたことを特徴とする請求項１乃至４何れか１項記載のシャープペンシル。
【発明の詳細な説明】
【技術分野】
【０００１】
本発明は、先口先端のスライダー内に鉛芯を保持する芯押さえを具備しているシャープペンシルに関するものである。
【背景技術】
【０００２】
従来、シャープペンシルの先口内には、チャックに把持されて前進した際の鉛芯を後退不能に保持する芯押さえが配設されている。この芯押さえは、ゴム等の弾性材料からなり、先口に対する弾性的な嵌め合いのみによって保持されているため、例えば、先口内に詰まった芯を取るために、先口先端側から細長棒状の金属製治具が差し込まれたりすると、芯押さえが前記金属製治具に押されて、後方へずれてしまう場合がある。このようになった場合、芯押さえは元の位置に戻り難く、ひいては、鉛芯繰り出し不良を生じてしまうおそれがある。
【０００３】
そこで、例えば、特許文献１に記載された発明では、先口（先部材２）内において、芯押さえ（芯戻り止め部材７）の後端部を、周方向３箇所のカシメ部（係止突起８）により係止することで、芯押さえの後退を防ぐようにしている。
【０００４】
しかしながら、特許文献１に記載された前記発明によれば、周方向３箇所の前記カシメ部により、弾性材料からなる芯押さえが周方向において部分的に偏った変形を生じ、そのことに起因して、該芯押さえが鉛芯を押圧保持する際の押圧力にバラツキが生じ、ひいては、鉛芯繰り出し量のバラツキを生じてしまうおそれがあった。
また、他の一般的なシャープペンシルには、先口先端に前後へスライドするスライダーを具備し、該スライダー内に前記芯押さえを配設したものもあるが、特に、このようなスライダーを具備したシャープペンシルでは、スライダーから芯押さえが外れて後方へ移動してしまうと、前述した鉛芯繰り出し量のバラツキが著しい上、折れて短くなった鉛芯が前記芯押さえと干渉して詰まったり、先行する鉛芯に対し後続する鉛芯が径方向に重なって繰り出し不能になったり等、不具合を生じやすい。
【特許文献１】特許第３４５８４４０号公報
【発明の開示】
【発明が解決しようとする課題】
【０００５】
本発明は上記従来事情に鑑みてなされたものであり、その課題とする処は、スライダーから芯押さえが外れてしまうのを防ぐことができるシャープペンシルを提供することにある。
【課題を解決するための手段】
【０００６】
上記課題を解決するために本発明に係る技術的手段は、先口の先端開口部から前方へ突出するとともに前後へスライドするように支持された略筒状のスライダー内に、鉛芯の外周面を弾性的に押圧保持可能な芯押さえを備え、チャックに把持されて前進した際の鉛芯を、前記芯押さえにより保持するようにしたシャープペンシルにおいて、前記スライダー内における前記芯押さえよりも後方側に環状ストッパーを具備し、この環状ストッパーを前記スライダーに対し軸方向へ移動不能となるように設けたことを特徴とする。
【０００７】
更なる技術的手段によれば、前記芯押さえの内周面が後方へ向かって徐々に拡径するように形成され、その拡径面の後端部内径と、前記環状ストッパーの内径とを略同径にしたことを特徴とする。
【０００８】
更なる技術的手段によれば、前記スライダーの内面に形成された芯押さえ当接段部に対し、その後方側から前記芯押さえを当接させるとともに、前記芯押さえの後端部に対し、前記環状ストッパーを接触もしくは近接させたことを特徴とする。
【０００９】
更なる技術的手段によれば、前記スライダーの内面における前記芯押さえ当接段部よりも後方側に、後方から挿入される前記環状ストッパーを当接させるための環状ストッパー当接段部を設け、前記環状ストッパーの外周面には、前記環状ストッパー当接段部に当接させるための段部と、該段部よりも前方側へ延設された小径部とを形成し、前記小径部の前端を、前記芯押さえの後端に対し接触もしくは近接させたことを特徴とする。
【００１０】
更なる技術的手段によれば、前記環状ストッパーの後端側に、その前部側よりも拡径された大径部を設け、この大径部を前記スライダーの内面に圧入するようにしたことを特徴とする。
【発明の効果】
【００１１】
本発明は、以上説明したように構成されているので、以下に記載されるような作用効果を奏する。
例えば、スライダーの先端側から細長棒状の金属製治具が差し込まれた場合や、落下衝撃等に起因して、芯押さえにスライダーに相対する後方への力が作用した場合でも、その芯押さえの後方への移動を、軸方向へ移動不能な環状ストッパーにより防ぐことができる。
しかも、環状ストッパーが芯押さえに対し環状に当接する構造であるため、環状ストッパーの当接力により芯押さえが周方向において偏った変形を生じるようなことを防ぐことができ、ひいては、安定した鉛芯繰り出し量を維持でき、鉛芯の繰り出しをスムーズに行うことができる。
【発明を実施するための最良の形態】
【００１２】
以下、本発明の実施の形態を図面に基づいて説明する。
このシャープペンシル１は、軸筒１０と、該軸筒１０の前端に装着された先口２０と、該先口２０の先端開口部から前方へ突出するとともに前後へスライドするように支持された略筒状のスライダー３０と、該スライダー３０内で鉛芯ｐの外周面を弾性的に押圧保持可能な芯押さえ４０と、該芯押さえ４０の後方への移動を防ぐ環状ストッパー５０と、鉛芯を把持して前進させるチャック機構６０とを具備している。
【００１３】
軸筒１０は、当該シャープペンシル１の略全長にわたる筒状の部材であり、単一の部品からなる態様であってもよいし、前軸と後軸等の複数の筒状部材を接続してなる態様であってもよく、あるいは後述する先口２０を一体に具備する態様としてもよい。
この軸筒１０には、後述するチャック機構６０を進退操作するための操作部（図示せず）が設けられている。この操作部は、軸筒１０後端の図示しないノック部を後方から押動する態様や、軸筒１０の側面に設けられた図示しないノック部を押動する態様等とすればよい。
また、軸筒１０内におけるチャック機構６０の後方には、複数の鉛芯ｐを収納可能な芯タンク（図示せず）が設けられ、この芯タンクからチャック機構６０へ鉛芯ｐが供給されるようになっている。
【００１４】
また、先口２０は、先細状の外周面を有する筒体であり、その内周面には、後述するスライダー３０の前方への移動を規制する第一段部２１、該第一段部２１よりも後方側で、後述するストップリング６３の前方への移動を規制する第二段部２２等を有する。
【００１５】
また、スライダー３０は、金属材料から略筒状に形成されたスライダー本体３１と、該本体部３１の外周面に嵌め合せられたＯリング３２とからなる。そして、このスライダー３０の内部には、芯押さえ４０および環状ストッパー５０が設けられる。
【００１６】
スライダー本体３１は、前端側の外周面に先細状部分を有する略筒状に形成され、その軸方向の略中央側の外周面に環状溝３１ａを形成している。
この環状溝３１ａは、スライダー本体３１の外周面に、二つの環状リブ３１ａ１，３１ａ１を軸方向に間隔を置いて配設することで、これら環状リブ３１ａ１，３１ａ１の間に形成される溝である。
前記環状溝３１ａには、遠心方向へ突出するようにＯリング３２が嵌め合わせられる。
また、前記二つの環状リブ３１ａ１，３１ａ１の内、前側に位置する環状リブ３１ａ１は、先口２０内周面の第一段部２１に当接されることで、スライダー３０の前方への移動を規制している。
【００１７】
また、スライダー本体３１の内周面には、前端側に位置して鉛芯ｐの外径よりも若干大きい小内径部３１ｂと、該小内径部３１ｂの後方側に位置して芯押さえ４０及び環状ストッパー５０を装着する大内径部３１ｃとが形成される（図１（ｂ）参照）。
大内径部３１ｃには、芯押さえ当接段部３１ｃ１と環状ストッパー当接段部３１ｃ２とが形成されている。
芯押さえ当接段部３１ｃ１は、大内径部３１ｃを前方へ向かって略段状に縮径することで形成された環状の段部であり、後方側から挿入される芯押さえ４０を当接させる。
環状ストッパー当接段部３１ｃ２は、大内径部３１ｃにおける前記芯押さえ当接段部３１ｃ１よりも後方側の部分を、前方へ向かって略段状に縮径することで形成された環状の段部であり、後方側から挿入される環状ストッパー５０を当接させる。
【００１８】
Ｏリング３２は、スライダー本体３１に対し軸方向へ不動に嵌め合わせられるとともに、先口２０内周面に対し摺接するように設けられ、スライダー３０が適度な抵抗を有する状態で進退するようにしている。
【００１９】
芯押さえ４０は、例えばゴムやエラストマー樹脂等の弾性材料からなり、図２に特によく示されるように、その外周面の前半部４１を徐々に縮径する先細状に形成するとともに、同外周面の後半部４２を略筒状の面に形成している。そして、これら前半部４１と後半部４２との境目には、上記スライダー３０内の芯押さえ当接段部３１ｃ１に当接させるための段部４３を形成している。
また、芯押さえ４０の内周面には、その前寄りに位置し、鉛芯ｐよりも若干小さな内径の鉛芯押圧面４４と、該鉛芯押圧面４４よりも後方側に位置するとともに、後方へ向かって徐々に拡径した拡径面４５とが形成されている。この拡径面４５の後端部は、芯押さえ４０の最後端面に対し、Ｒ面４６を介して滑らかに接続されている。
【００２０】
また、環状ストッパー５０は、金属材料から略筒状に形成され、その外周面を後方へ向かって段階的に拡径することで、前から順番に、小径部５１、中径部５２、大径部５３を有するとともに、小径部５１と中径部５２の間に第一段部５４を、中径部５２と大径部５３の間に第二段部５５を、それぞれ有する。
【００２１】
前記第一段部５４は、スライダー３０内で環状ストッパー当接段部３１ｃ２に当接させるための段部である。
そして、この第一段部５４よりも前方側に延設される小径部５１は、その前端面が芯押さえ４０の後端面に対し、接触または近接するように軸方向の長さが設定されている。
より詳細に説明すれば、小径部５１の軸方向長さは、該小径部５１の前端面が芯押さえ４０の後端面に接触する寸法であって、且つ、マイナス公差となる寸法
に設定されている。
【００２２】
前記構成によれば、芯押さえ４０は、その前側である段部４３をスライダー３０内の芯押さえ当接段部３１ｃ１に当接するとともに、後端面を環状ストッパー５０の前端面に当接されて、軸方向（換言すれば前後方向）へ移動不能となる。
したがって、芯押さえ４０がスライダー３０から外れてしまうのを防止できるのは勿論のこと、軸方向へ不動な芯押さえ４０によって、チャック機構６０により前進した際の鉛芯ｐを確りと押圧保持することができ、ひいては、安定した鉛芯繰り出し量を維持でき、鉛芯ｐの繰り出しをスムーズに行うことができる。
【００２３】
また、環状ストッパー５０の外周面後端側に形成された大径部５３は、スライダー３０の内周面に対し圧入されるように、その外径が設定されている。
より具体的に説明すれば、前記大径部５３は、スライダー３０内径よりも若干大きい外径に形成されることで、スライダー３０内周面に対し所謂しまりばめ状に嵌合する。
【００２４】
この構成によれば、スライダー３０内に環状ストッパー５０を挿入して固定する際、先ず、環状ストッパー５０の小径部５１と中径部５２が順番にスライダー３０内に挿入されることで、スライダー３０と環状ストッパー５０との芯合わせが行われ、次に、大径部５３がスライダー３０に対し圧入嵌合されることになる。
よって、仮に環状ストッパー５０の外周面をその全長にわたってスライダー３０内周面に圧入嵌合させようとした場合等と比較し、製造作業を容易且つスムーズに行うことができる。
【００２５】
また、環状ストッパー５０の内周面は、段部等が無く軸方向へわたって略同径の曲面に形成される。そして、この環状ストッパー５０の内径は、芯押さえ４０における拡径面４５の後端部内径と、略同径に設定されている。
より詳細に説明すれば、拡径面４５の後方へ連続するＲ面４６の最後端部（換言すれば、Ｒ面４６と、芯押さえ４０最後端の平坦面部とが交差する部分）の内径と、環状ストッパー５０の内径とが略同径に設定されている。
【００２６】
この構成によれば、環状ストッパー５０内を通る鉛芯ｐをスムーズに芯押さえ４０内へ導ける上、環状ストッパー５０内の芯詰まりを防ぐことができる。
より詳細に説明すれば、仮に、環状ストッパー５０の内径が、芯押さえ４０における拡径面４５の後端部内径よりも大きい場合には、挿通される鉛芯ｐの外周面と、環状ストッパー５０の内周面との隙間が大きくなりすぎ、この隙間に、折れた鉛芯が詰まったり、後続する鉛芯が嵌りこんだり等して、鉛芯をスムーズに繰り出せなくなるおそれがある。
また、仮に、環状ストッパー５０の内径が、芯押さえ４０における拡径面４５の後端部内径よりも小さい場合には、後続する鉛芯の先端が、環状ストッパー５０の後端面に干渉する等して、鉛芯をスムーズに繰り出せなくなるおそれがある。
【００２７】
また、チャック機構６０は、同芯状に配置された複数（例えば２又は３）の爪部６１ａからなるチャック６１、該チャック６１が後退した際に該チャック６１の周囲に環状に嵌り合うことで、前記複数の爪部６１ａを求心方向へ閉動作させるチャックリング６２、該チャックリング６２の前方への移動を規制するように先口２０内に固定されたストップリング６３、チャック６１の後端部を支持するとともに図示しない芯タンクの前端に接続された支持部材６４、チャック６１及び支持部材６４等を後方へ付勢するコイルスプリング６５等を具備した周知の機構である。
【００２８】
このチャック機構６０によれば、チャック６１の前進に伴って複数の爪部６１ａにより把持された鉛芯ｐも前進する。チャック６１は、前進すると、チャックリング６２から外れて、複数の爪部６１ａ間を広げる。そのため、前進した鉛芯ｐは、チャック６１から解放されるとともに、芯押さえ４０によって弾性的に押圧保持される。鉛芯ｐを解放したチャック６１は後退して、チャックリング６２内に嵌ることで、複数の爪部６１ａ間を狭め、再び鉛芯ｐを把持する。
【００２９】
次に、上記構成のシャープペンシル１について、その特徴的な効果を詳細に説明する。
例えば、芯詰まりの解消等のためにスライダー３０の先端から細長棒状の金属製治具が差し込まれた場合や、落下衝撃等に起因して、芯押さえ４０に後方への力が作用した場合でも、該芯押さえ４０が後方へ移動してしまうのを、その後方側から当接するストップリング６３によって防ぐことができる。
特に、スライダーを有する一般的なシャープペンシルでは、スライダーを具備しないシャープペンシルと比較し、先口内において鉛芯の詰りを発生させる軸方向スペースが広くなり易いが、上記構成のシャープペンシル１では、前記軸方向スペースを略円筒状の環状ストッパー５０により小さくすることができ、ひいては、鉛芯の詰りの発生を低減することができる。
【００３０】
なお、上記実施の形態によれば、芯押さえ４０の軸方向への移動を効果的に防止するために、環状ストッパー５０の前端と芯押さえ４０の後端とを略接触させる構成としたが、芯押さえ４０が軸方向へ圧縮変形してしまうのを確実に防ぐ観点からは、環状ストッパー５０の前端と芯押さえ４０の後端との間に隙間を設けるようにしてもよい。
【図面の簡単な説明】
【００３１】
【図１】（ａ）は本発明に係わるシャープペンシルの一例を示す要部断面図であり、（ｂ）は（ａ）におけるｂ部拡大断面図である。
【図２】芯押さえ及び環状ストッパーの一例を示す断面斜視図である。
【符号の説明】
【００３２】
１：シャープペンシル                      ２０：先口
３０：スライダー                          ３１ｃ１：芯押さえ当接段部
３１ｃ２：環状ストッパー当接段部          ４０：芯押さえ
５０：環状ストッパー                      ５１：小径部
５３：大径部                              ６０：チャック機構
６１：チャック                            ｐ：鉛芯
【図１】
2009056630.tif 000003
【図２】
2009056630.tif 000004